(57)【要約】      （修正有）【課題】車椅子を利用する身体障害者を中心とする購買層を対象に、比較的背丈を低く設計された音声機能付自動販売機において、最下段に子供向商品を配置し、子供などの新たな購買層を獲得できるようにした音声機能付バリアフリー対応自動販売機を提供する。【解決手段】音声機能付きバリアフリー対応自動販売機１４と音声出力装置を利用し、従来の音声出力ではなく、動物の声や、ＳＦ、クラクションなどのエフェクト効果音を購入時に出力する。更にバリアフリー対応自動販売機の背の低さを利用し、デイィスプレイ部の最下段に比較的子供向けの商品を設置１５することにより背の低い子供の購買意欲を喚起させ商品の拡販の資することができる。【選択図】図３
0003169743.tif 000002
【実用新案登録請求の範囲】
【請求項１】
商品の購入時に音声装置を起動し、予め記憶された人語などの従来の音声ではなく、動物の声や、ＳＦ、クラクションなどのエフェクト効果音を主とする音声のいずれかを出力し得るようにしたことを特徴とする音声機能付きバリアフリー対応自動販売機。
【請求項２】
ディスプレイ部の最下段にジュースなどの比較的子供向けの商品を配置することを特徴とする音声機能付きバリアフリー対応自動販売機。
【考案の詳細な説明】
【技術分野】
【０００１】  本考案は、背の低い音声機能付きバリアフリー対応自動販売機に関する。
【背景技術】
【０００２】  本考案は例えば缶飲料、ペットボトル入り飲料などの商品や、カップ式飲料などの飲料品などの飲食品を販売する自動販売機に関し、子供の購買意欲を喚起させる構造の自動販売機、特に背の低い音声機能付きバリアフリー対応自動販売機に係わる。【０００３】  従来から、バリアフリー対応自動販売機の主目的は、車椅子を利用する身体障害者にも利用し易い飲料の販売であり、特に自動販売機の形状は比較的低く設計されている。一方、近年においては、需要者の購買意欲を喚起するために、自動販売機に色々な意匠や工夫を施すことが重要になってきている。【０００４】  また、バリアフリー対応自動販売機などの背の低い自動販売機で、背の低い子供が自分でも押すことができる位置に商品選択スイッチが付いているので、大人の助けを借りずに喜んで購入している光景をよく見かける。【０００５】    例えば、通常の自動販売機で音声出力を利用し動物の声などの効果音を出力するということが提案されている。（特許文献１）
【先行技術文献】
【特許文献】
【０００６】
【特許文献１】特開Ｈ１１−３２８５１６号公報
【考案の概要】
【考案が解決しようとする課題】
【０００７】    しかしながら、特許文献１記載の自動販売機では、購買層が限定されていない。【０００８】    また、特許文献１記載のように有名人や動物の声を通常の自動販売機から出力しても、通常の自動販売機は大人が利用する場合が多いために無関心であり、購買意欲を喚起するに至らない。【０００９】    また、特許文献１のような自動販売機においては、インターフェースに記憶されている音声が圧倒的に少ない。現在のメモリにおける記憶許容数は増大しており、様々な音声を記憶させることが可能である。【００１０】    本考案は、バリアフリー対応自動販売機の背の低さを利用し、背の低い子供の購買意欲を喚起する自動販売機の提供することを目的とする。
【課題を解決するための手段】
【００１１】    本考案の音声機能付きバリアフリー対応自動販売機は、音声出力装置を起動し、音声装置に記憶させた複数の効果音のいずれかを出力し得るようにしたものである。【００１２】    本考案において効果音とは、人語などの従来の音声ではなく、動物の声や、ＳＦ、クラクションなどのエフェクト効果音をいう。
【考案の効果】
【００１３】    本考案の音声機能付きバリアフリー対応自動販売機によれば、音声出力を利用して、背の小さい子供に製品をアピールでき、かつ購入の際に出力される音声により子供の感心を引き購買意欲を喚起することができ、従来の主目的以外の購買層を獲得できることにより、飲料の拡販に資することができる。
【図面の簡単な説明】
【００１４】
【図１】本願考案の実施例の構成配置図である。
【図２】本願考案の音声装置の一例の構成配置図である。
【図３】本願考案のバリアフリー対応自動販売機の正面図である。
【考案を実施するための形態】
【００１５】    以下、本考案のバリアフリー対応自動販売機をその実施の最良の形態について図面に示す実施例に基づいて説明する。
【００１６】    以下にその手順を説明するが、本考案を実施するにあたり、この説明・手順に限定されるものではない。
【００１７】    図１は本考案の実施例の構成配置図である。１は自動販売機制御部、２は硬貨投入口、３は硬貨識別機、４は紙幣投入口、５は紙幣識別機、６は商品選択スイッチ、７は商品搬出機構、８は商品搬出口で、９はインターフェース、１０は音声装置で、音声装置１０は音声メモリ１１には複数の音声が記憶されている。これらについては通常の自動販売機のそれと同様である。
【００１８】    音声としては例えば人語などの従来の音声ではなく、動物の声や、ＳＦ、クラクションなどのエフェクト効果音を利用することができる。
【００１９】    今利用者が硬貨または紙幣を投入口２または４より投入し、商品選択スイッチ６の一つを操作すると、自動販売機制御部１で販売可能の判断がなされ、その結果商品販売可能と判断すればと販売信号が商品搬出機構７に送られ商品搬出口８に商品が搬出されるが、この販売信号は同時にインターフェース９を介して音声装置１０にも送られ、その音声メモリ１１に記憶されている音声から一つを選択して音声出力器１２に送り出し、音声が出力される。
【００２０】    音声メモリ１１に含まれる複数の音声からの選択は、予め設定したプログラムに従って順次選択するようにすることができる。図２は、その一例で、音声メモリ１１には複数の音声が記憶されている第１の購入者に対してはインターフェース９よりの信号により音声１が選択され回路１３を通じて音声出力器１２から音声１が出力され、次の購入者には音声２が選択され回路１３を通じて音声２が出力されるというように、以下順次音声３、音声４、音声５が選択される。この選択順序をアトランダムにすることもプログラムの組み方により可能である。
【００２１】    エフェクト効果音の音声ファイルを４秒６０キロバイトとし、音声メモリの容量を１ギガバイトとしてもゆうに１千万パターン以上の音声ファイルを記憶させることが可能である。
【００２２】    バリアフリー対応自動販売機１４にジュースなどの比較的子供向けの商品を背の低い子供が商品選択スイッチを押しやすい位置に設置する。図３はその一例で、ディスプレイ部の最下段に子供向け商品を子供向け商品配置位置１５に配置する。
【符号の説明】
【００２３】１・・・・自動販売機制御部        ９・・・・インターフェエース
２・・・・硬貨投入口              １０・・・音声装置
３・・・・硬貨識別機              １１・・・音声メモリ
４・・・・紙幣投入口              １２・・・音声出力器
５・・・・紙幣識別機              １３・・・回路
６・・・・商品選択スイッチ        １４・・・バリアフリー対応自動販売機本体
７・・・・商品搬出機構            １５・・・子供向け商品配置位置
８・・・・商品搬出口
【図１】
0003169743.tif 000003
【図２】
0003169743.tif 000004
【図３】
0003169743.tif 000005
【手続補正書】
【提出日】平成23年5月19日(2011.5.19)
【手続補正１】
【補正対象書類名】実用新案登録請求の範囲
【補正対象項目名】全文
【補正方法】変更
【補正の内容】
【実用新案登録請求の範囲】
【請求項１】
自動販売機制御部に接続されたインターフェースと、インターフェースに接続された音声装置と、予め音声メモリに記憶された人語などの従来の音声ではなく、動物の声や、ＳＦ、クラクションなどのエフェクト効果音を主とする音声メモリと、音声出力器を備え、商品の購入時に音声装置を起動し、いずれかの音声を出力し得るようにしたことを特徴とする音声機能付きバリアフリー対応自動販売機。
【請求項２】
ディスプレイ部の最下段にジュースなどの比較的子供向けの商品を配置することを特徴とする請求項１記載の音声機能付きバリアフリー対応自動販売機。